(57)【要約】  少なくとも１つの細長い物体を固定する器具が開示され、それは支持部分（２、３、４）と、支持部分（２、３、４）に結合された固定されたガイド部分（９）を設けられた結合ユニット（８）と、ガイド部分（９）と移動可能に係合し同時に固定要素と係合することができる収納部分（１２）と、を含む。ガイド部（９）は、孔のガイド空間を囲む外側スリーブ（１０）で具体化される。孔のガイド空間の断面は、横方向においてより長手方向においてより長い。収納部分（１２）に、孔のガイド空間内で移動可能であってその長手方向の直径が長手方向の外側スリーブ（１０）の直径より小さい内側スリーブ（１１）が設けられる。互いにかみ合う係合要素がガイド部分（９）と収納部分（１２）との間に構成され、コンパクトに設計された器具が、きっちりした組み立て状態でも挿入され、低価格で製造される。
2007506396.tif 000002
【特許請求の範囲】
【請求項１】
物体または各物体を保持するキャリア部を有し、前記キャリア部に結合している固定されたガイド部及び前記ガイド部と移動可能に係合しかつ固定要素と係合させられ得る保持部を備えた結合ユニットを有し、さらに別の固定要素と係合させられ得る別の結合ユニットを有していて、ベース部分に結合された少なくとも２つの固定要素を用いて少なくとも１つの細長い物体を前記ベース部分に固定する器具であって、
前記ガイド部（９）がガイドキャビティ（１５）を囲む外側スリーブ（１０）で構成されそれにより前記ガイドキャビティ（１５）が横軸方向より長手方向により長い断面を示し、前記保持部（１２）が前記ガイドキャビティ（１５）の内側に前記長手方向の前記外側スリーブ（１０）の直径より短い前記長手方向の直径を備えた可動内側スリーブ（１１）を有し、互いに係合する係合要素（１４、１９）が前記ガイド部（９）の壁（１６）と前記保持部（１２）の壁（１３）との間に構成されていることを特徴とする器具。
【請求項２】
前記係合要素が、前記長手方向に伸びるガイド孔（１４）及びガイド突出部（１９）によって形成されていることを特徴とする請求項１記載の器具。
【請求項３】
前記ガイド突出部（１９）が、前記ガイド部（９）の壁（１６）に構成されていて、前記ガイド孔（１４）が前記保持部（１２）の壁（１３）に構成されていることを特徴とする請求項２記載の器具。
【請求項４】
前記ガイド突出部（２０）が三角形の断面を示し、それによって固定要素上への取り付け方向において前記固定要素に面している側が、前記取り付け方向において前記固定要素から離れて面している側より急でない傾斜で角度がなされていることを特徴とする請求項２または３記載の器具。
【請求項５】
前記保持部分（１２）が連続的な保持チャネル（１９）を囲み、内側を向いているラッチ用突起（１８）で構成されていることを特徴とする請求項１乃至４のいずれか１に記載の器具。
【請求項６】
追加の結合ユニットが、可動保持部（１２）を示す前記結合ユニット（６）に一致して構成され、それによって前記保持部（１２）の長手方向が互いに直角に整列していることを特徴とする請求項１乃至５のいずれか１に記載の器具。
【発明の詳細な説明】
【技術分野】
【０００１】
本発明は、物体、または、各物体を保持するキャリア部を有し、キャリア部に結合している固定されたガイド部及びガイド部と移動可能に係合しかつ固定部分と係合させられ得る保持部を有する結合ユニットを有し、さらに別の固定要素と係合させられ得る別の結合ユニットを有していて、ベース部分に結合している少なくとも２つの固定要素を用いて少なくとも１つの細長い物体をベース部分に固定する器具に関係する。
【背景技術】
【０００２】
この種の器具は、ＤＥ  ８５  １３  ７８４  Ｕで公知である。すでに公知の器具では、導線状の細長い物体が、キャリア部としての細長いレールに帯状片を用いて固定され得る。すでに公知の装置は、第１の結合ユニットを有していて、第１の結合ユニットはキャリア部に結合された固定されたガイド部を示す。すでに公知の器具のガイド部は、ヘッドが組み込まれたピンを示す。ヘッドは、ピンのシャフト部分の断面より直径が大きく、固定要素用の保持部に結合している細長いレールによって後ろから把持される。レールがピンによって導かれて、保持部がガイド部に対して移動させられてもよい。
【０００３】
すでに公知の器具は固定するのが簡単であって、保持部の可動性が、固定要素同士の間の間隔の相違を補正することを可能にしたが、当該結合要素の設計が相対的に大きくて、製造するには相対的に高価である。
【発明の開示】
【発明が解決しようとする課題】
【０００４】
本発明は、相対的にコンパクト設計であり製造するのに安価である上述の種類の器具を提案するという問題に基づいている。
【課題を解決するための手段】
【０００５】
本発明によれば、この問題は、上述の種類の器具によって解決され、器具において、ガイド部がガイドキャビティを囲む外側スリーブで構成されていてそれによってガイドキャビティが横軸方向より長手方向により長い断面を示し、保持部がガイドキャビティの内部で長手方向の外側スリーブの直径より短い長手方向の直径を有する可動内部スリーブを有し、相互に係合している細長い要素がガイド部の壁と保持部分の壁との間に構成されている。
【０００６】
本発明による器具の設計のために、保持部がガイド部の内側でスペースを取らない方法で配置されて、ガイドキャビティの内側で係合要素によりガイド部にわたって直接誘導される。結果として、器具を締め付けられた挿入状態でさえ用いることができ、さらに安価に製造することができる。本発明による器具の１つの構成では、長手方向に伸びるガイド孔及びガイド突出部によって係合要素が形成されているということが提供されることが有利である。
【０００７】
ガイド部への保持部のできるだけ簡単な挿入を実現するために、上述の構成のさらなる展開では、ガイド突出部がガイド部の壁に構成され、ガイド孔が保持部の壁に構成されるということが提供される。
【０００８】
保持部がガイド部の中から引っ張り出されることを可能な限り防ぐために、上述の構成及び関係するさらなる展開におけるガイド突出部が三角形の断面を示し、それによって、固定要素上への取り付け方向に固定要素と面している側が、取り付け方向の固定要素から離れて面している側より急でなく角がなされていることが有利である。
【０００９】
本発明による器具を用いて固定要素とうまく結合を行うために、有利な構成において、保持部が連続的な保持チャネルを囲み、内側へ向いているラッチ用突起で構成される。
【００１０】
本発明による器具の別の有利な構成では、特に有効な間隔調整のために、追加の結合ユニットが、可動保持部を示す結合ユニットと一致して構成され、それによって、保持部の長手方向が相互に直角に整列するということが提供される。結果として、この構成が特にうまく適応され得る。
【００１１】
本発明のさらなる有利な構成及び有利な点が、図面の図を参照することを含む実施例の以下の説明の対象である。
【発明を実施するための形態】
【００１２】
図１は、細長いケーブルチャネル１として構成されているキャリア部を有し、プラスチックでできている本発明による器具の実施例の３次元図を示す。ケーブルチャネル１は、図１に示していないベース部分に固定されるべき細長い物体として、２つの対抗する側壁２、３及び側壁２、３に続いている下面壁４を示す。下面壁４の反対側にあるケーブルチャネル１の領域が開けられていて、例えば、ケーブル、いくつかのケーブルを含むケーブルの束、チューブまたはいくつかのチューブを含むチューブの束などの固定されるべき物体が、側壁２と３との間に挿入され得る。ベース部分上のケーブルチャネル１の従来の配置では、ケーブルチャネル１の開いている側がベース部分に面していて、基本的にベース部分によって覆われている。
【００１３】
図１の図において下面壁４から離れて面しているエッジ側で、観察者に面している側壁３上にウェブ５が構成され、ウェブ５は側壁３にほぼ直角に整列し、外側方向に側壁３から突出している。ウェブ５はケーブルチャネル１の一定の長さに及ぶ。例えば、基本的に直線の部分の長さのほぼ３分の２を超えて及ぶ。
【００１４】
ウェブ５の第１の端部領域に、第１の結合ユニット６があり、第１の結合ユニット６は、基本的に側壁３に沿って下面壁４の方向に伸びて下面壁４で終端する固定されたスリーブ７として構成されている。固定されたスリーブ７は丸い断面を示し、ベース部分に続く固定要素上へスリップされ得る。固定要素は、ベース部分に溶接されたねじ込みボルトとして通常作られている。
【００１５】
さらに、第２の結合ユニット８がウェブ５のもう１つの端部領域にある。第２の結合ユニット８はガイド部９を示し、それはウェブ５と結合され、外側スリーブ１０で構成されている。第２の結合ユニット８がさらに保持部１２を備え、それは内側スリーブ１１を示し、本発明による器具の製造直後の図１の描写ではまだウェブ５を越えて突出していて、結合用刻み目を用いて外側スリーブ１０と結合される。内側スリーブ１１の外壁が平坦部分１３で構成され、平坦部分１３は互いに向かい合っていてそのそれぞれの中にガイド孔が作られている。
【００１６】
ベース部への固定に必要な第２の保持部８についての所望の配置を受けるために、内側スリーブ１１が、外側スリーブ１０へ特別の道具を用いて挿入され、同時に結合用刻み目を壊す。
【００１７】
図２は、図１についての拡大３次元図において、第２の結合ユニット８を示し、それは、外側スリーブ１０へ挿入される内側スリーブ１１を備えた可動ガイド部８を示す。外側スリーブ１０のガイドキャビティ１５が、示した実施例では、そこに直角に整列する横軸方向より、ウェブ５の延長部分にほぼ続く長手方向により長い断面を示している。図２による実施例では、断面が相対的に急に丸くされたコーナー領域を備えるほぼ長方形に構成されている。
【００１８】
内側スリーブ１１がその外壁に構成された平坦部分１３を用いて外側スリーブ１０の内壁の同様の平坦な長手部分１６に押し付けられて、ガイドキャビティ１５の横軸方向にあってエッジ止めとして役に立つ横軸部分１７同士の間の長手部分１６を介して、ガイド孔１４の長手方向に外側スリーブ１０について内側スリーブ１１が導かれ得るということが図２において同様にわかる。
【００１９】
図３は、ガイドキャビティ１５の長手方向の断面において、図３による第２の結合ユニット８を示す。内側スリーブ１１の内側に多数のラッチ用突起１８が構成されていて、それらは図３による頂部の方である取り付け側の方へ角度をなしている。第２の結合ユニット８が、例えばねじ込みボルトとして構成されている固定要素上に配置されると、ラッチ用突起１８がそれらに割り当てられる固定要素の孔とラッチし、さらに、高い引き抜き抵抗により、本発明による器具がベース部分から意図しないで外れることに対して保護する。
【００２０】
さらに、図３では、外側スリーブの横軸部分１７と内側スリーブ１１との間の空間が特にはっきりとわかることも可能である。空間は外側スリーブ１２に関係する内側スリーブ１０の可動性を生ずる。
【００２１】
最後に、内側スリーブ１１が、固定要素の概して遊びのない包囲のための連続的な保持チャネル１９を囲むということが図３でわかる。
【００２２】
図４は、ガイドキャビティ１５の横軸方向の断面において、図２による第２の結合ユニット８を示す。外側スリーブ１０の内壁の長手部分１６上にガイド突出部２０が構成され、ガイド突出部２０は、内側スリーブ１１のガイド孔１４に補完的な方法で構成されてそれらに係合するということが図４でわかる。結果として、内側スリーブ１１が外側へ落ちることについて保護され、その長手方向の移動において導かれる。示した実施例では、ガイド突出部２０の側面が、内側スリーブ１１の、図４による描写の頂部の方である挿入側の方へ、扁平に構成され、外側スリーブ１０へのガイド突出部２０の側面の挿入及びガイド突出部２０とのラッチングを容易にする。
【図面の簡単な説明】
【００２３】
【図１】可動ガイド部分を示す結合ユニット及び別の固定された結合ユニットを備えた本発明の実施例の３次元図を示す。
【図２】可動ガイド部を示す結合ユニットの、図１についての拡大３次元図を示す。
【図３】図２による結合ユニットの長手断面図を示す。
【図４】図２による結合ユニットの横軸方向の断面図を示す。
【図１】
2007506396.tif 000003
【図２】
2007506396.tif 000004
【図３】
2007506396.tif 000005
【図４】
2007506396.tif 000006
【国際調査報告】
2007506396.tif 000007
2007506396.tif 000008
2007506396.tif 000009
2007506396.tif 000010
2007506396.tif 000011
2007506396.tif 000012